(57)【要約】【課題】フロント部材を装着する作業を簡単にかつ正確に行う。【解決手段】雄ハウジング３０は、端子収容部３１の前方を覆うようにしてフード部３２が設けられた形状である。端子収容部３１の前面には、キャビティ３３の前壁を兼ねたムービングプレート４０が装着可能とされる。ムービングプレート４０には、雄端子のタブを貫通可能な貫通孔４１が形成され、ただし雌ハウジング２０の逆挿入防止用のリブ３９の形成位置を避けるようにして、フード部３２の断面の一部を欠落させたような正面ほぼ方形状に形成されている。ムービングプレート４０の左右両側面における上下両縁には、正方形断面のガイドリブ４５と鈎形断面のリブ４６とが前後方向に延びて形成されている。フード部３２の左右の内側壁には、各ガイドリブ４５，４６を摺動可能に嵌合する同様の断面形状の前後方向を向いたガイド溝５１，５２が形成されている。【選択図】  図１
2004178973.tif 000002
【特許請求の範囲】
【請求項１】
端子金具が収容されるキャビティを設けた端子収容部と、この端子収容部の前方の回りを覆うフード部とが具備されたコネクタハウジングを有し、かつ前記端子収容部の前面には、前記キャビティの前端部分を構成する別体のフロント部材が、前方から挿入されて装着されるようにしたコネクタにおいて、
前記フロント部材と前記フード部との間には、前記フロント部材を前記フード部内において前記端子金具の軸線方向と平行に移動案内するガイド手段が設けられていることを特徴とするコネクタ。
【請求項２】
前記ガイド手段が、前記フロント部材の外周面と前記フード部の内周面とに互いに摺動可能に形成されたリブと溝とによって構成されていることを特徴とする請求項１記載のコネクタ。
【請求項３】
前記ガイド手段が複数組設けられ、そのうちの少なくとも一組のリブと溝の断面形状が、他の組のリブと溝の断面形状とは異なって形成されていることを特徴とする請求項２記載のコネクタ。
【請求項４】
前記コネクタハウジングの前記フード部内には、相手のコネクタハウジングが嵌合可能となっており、この相手のコネクタハウジングの外周面には、前記フード部の内周面に形成された前記ガイド手段たる溝またはリブと摺動可能に嵌合するリブまたは溝が形成されており、この相手のコネクタハウジングのリブまたは溝の挿入方向の終端部には、相手の溝またはリブに対して圧入されるがた詰め部が設けられていることを特徴とする請求項２または請求項３記載のコネクタ。
【請求項５】
前記コネクタハウジングが、前記キャビティ内に雄端子が挿入されてそのタブを前記フード部内に突出させて収容可能な雄側のコネクタハウジングであるとともに、前記フロント部材が、前記タブの貫通孔を形成したムービングプレートであって、このムービングプレートは、前記タブの先端を対応する貫通孔に臨ませた状態で前記フード部内に仮係止可能であり、前記フード部内に相手の雌側のコネクタハウジングが嵌合されることに伴って奥側に移動する構成となっていることを特徴とする請求項１ないし請求項４のいずれかに記載のコネクタ。
【発明の詳細な説明】
【０００１】
【発明の属する技術分野】
本発明は、端子収容部の前面に別体のフロント部材を装着する形式のコネクタに関する。
【０００２】
【従来の技術】
近年、コネクタの小型化の要求に伴い、例えばキャビティ内に設けられるランスを成形する際の型上の余裕を得る等の理由から、キャビティの前壁部材を別体にて形成し、後付けにより装着するようにしたものが知られている（例えば、特許文献１参照）。
この種のキャビティの前壁部材を後付けするコネクタは、雄コネクタにも適用することができる。雄コネクタのハウジングは通常、キャビティの形成された端子収容部の前方の回りを覆うようにしてフード部が設けられた形状であって、キャビティ内に挿入された雄端子は、そのタブをフード部内に突出させた状態で収容される。したがって、雄コネクタにおいて前壁部材を後付けする場合は、前壁部材をフード部内の奥側まで挿入して、端子収容部の前面に装着する必要がある。
【０００３】
【特許文献１】
特開２００１−１６０４４４公報
【０００４】
【発明が解決しようとする課題】
ところで、上記のように雄コネクタにおいて前壁部材を装着するに際して、前壁部材がフード部の断面の全面に嵌まる形状であれば、フード部がガイドとなって前壁部材はフード部内の奥に向けてスムーズに入れられるのであるが、用途目的によっては、前壁部材をフード部の断面の一部を欠落させたような形状として使用する場合がある。
例えば図１４に示すように、雄コネクタのハウジング１では、相手の雌コネクタのハウジングをフード部２内に正規の向きで嵌合できるように、すなわち逆挿入を防止する意味から、フード部２の内周面の所定位置にリブ３を立てて、これを相手の雌ハウジングの外周面に形成した逃がし溝に合わせつつ嵌合する手段が取られる。
【０００５】
一方このような場合に、コネクタの種類によっては、雄ハウジング１の基本的な構造は同じでも、同図の鎖線に示すように、逆挿入防止用のリブ３を立てる位置を反対側等に変えることがある。そのとき、前壁部材がフード部２の断面の全面に嵌まる構造であると、リブ３の位置が異なることに対応して、そのリブ３を逃がす溝の形成位置を変更した異なった種類の前壁部材を形成する必要があって、コスト的に不利となる。
そこで同図に示すように、前壁部材４について、リブ３が立てられる領域からは外れるような一部を欠落した形状とすれば、リブ３の立てられた位置が異なる各種雄ハウジング１に対して共通して使用することが可能となる。
【０００６】
しかるに、前壁部材４がフード部２の断面の一部を欠落させた形状となると、今度は、前壁部材４をフード部２内に入れる場合にがたついてスムーズに入れることができず、装着作業に手間取る嫌いがあった。
本発明は上記のような事情に基づいて完成されたものであって、その目的は、フロント部材を装着する作業を簡単にかつ正確に行えるようにするところにある。
【０００７】
【課題を解決するための手段】
上記の目的を達成するための手段として、請求項１の発明は、端子金具が収容されるキャビティを設けた端子収容部と、この端子収容部の前方の回りを覆うフード部とが具備されたコネクタハウジングを有し、かつ前記端子収容部の前面には、前記キャビティの前端部分を構成する別体のフロント部材が、前方から挿入されて装着されるようにしたコネクタにおいて、前記フロント部材と前記フード部との間には、前記フロント部材を前記フード部内において前記端子金具の軸線方向と平行に移動案内するガイド手段が設けられている構成としたところに特徴を有する。
【０００８】
請求項２の発明は、請求項１に記載のものにおいて、前記ガイド手段が、前記フロント部材の外周面と前記フード部の内周面とに互いに摺動可能に形成されたリブと溝とによって構成されているところに特徴を有する。
請求項３の発明は、請求項２に記載のものにおいて、前記ガイド手段が複数組設けられ、そのうちの少なくとも一組のリブと溝の断面形状が、他の組のリブと溝の断面形状とは異なって形成されているところに特徴を有する。
【０００９】
請求項４の発明は、請求項２または請求項３に記載のものにおいて、前記コネクタハウジングの前記フード部内には、相手のコネクタハウジングが嵌合可能となっており、この相手のコネクタハウジングの外周面には、前記フード部の内周面に形成された前記ガイド手段たる溝またはリブと摺動可能に嵌合するリブまたは溝が形成されており、この相手のコネクタハウジングのリブまたは溝の挿入方向の終端部には、相手の溝またはリブに対して圧入されるがた詰め部が設けられているところに特徴を有する。
【００１０】
請求項５の発明は、請求項１ないし請求項４のいずれかに記載のものにおいて、前記コネクタハウジングが、前記キャビティ内に雄端子が挿入されてそのタブを前記フード部内に突出させて収容可能な雄側のコネクタハウジングであるとともに、前記フロント部材が、前記タブの貫通孔を形成したムービングプレートであって、このムービングプレートは、前記タブの先端を対応する貫通孔に臨ませた状態で前記フード部内に仮係止可能であり、前記フード部内に相手の雌側のコネクタハウジングが嵌合されることに伴って奥側に移動する構成となっているところに特徴を有する。
【００１１】
【発明の作用及び効果】
＜請求項１の発明＞
フロント部材がフード部内を端子収容部の前面まで移動する際、ガイド手段によって案内されてがたつきを生じることなくスムーズに移動させることができる。フロント部材の装着作業を簡単にかつ正確に行うことができる。
＜請求項２の発明＞
フロント部材は、リブと溝とで摺動案内されてスムーズに移動する。
＜請求項３の発明＞
フロント部材の挿入時の向きが正規では無い場合に、リブと溝とが嵌合できない部分ができて挿入が規制され、フロント部材が不正姿勢であることが検知される。
【００１２】
＜請求項４の発明＞
両コネクタハウジングがリブと溝とで案内されて嵌合され、その嵌合動作の終盤になると、リブまたは溝に設けられたがた詰め部が相手の溝またはリブに圧入され、両コネクタハウジング間ががた詰めされて、端子金具の微摺動摩耗等が防止される。がた詰め部が圧入されるのは嵌合動作の終盤だけであるから、両コネクタハウジングの嵌合力を小さく抑えたままで、がた詰め機能を果たすことができる。
＜請求項５の発明＞
ムービングプレートは、タブを貫通孔に挿通しつつ真直にフード部内を移動する。タブの整列状態を確保しつつ両コネクタハウジングを嵌合させるといったムービングプレートの機能を確実に果たすことができる。
【００１３】
【発明の実施の形態】
以下、本発明の一実施形態を図１ないし図１３に基づいて説明する。
本実施形態のコネクタは、図１及び図２に示すように、互いに嵌合される雌側のコネクタハウジング２０（以下、雌ハウジング２０という）と、雄側のコネクタハウジング３０（以下、雄ハウジング３０という）とを備え、この雄ハウジング３０に、本発明のフロント部材に相当するムービングプレート４０が装着されるようになっている。
なお、両ハウジング２０，３０において、それぞれ嵌合面側を前面として説明する。
【００１４】
雌ハウジング２０は合成樹脂材により形成され、横長断面の端子収容部２１を有し、この端子収容部２１内には図示４個のキャビティ２２が横方向に並んで形成されている。各キャビティ２２内には、電線１０の端末に圧着された雌端子１１が収容されるようになっている。雌端子１１は、相手の雄端子１５のタブ１６が挿入接続される角筒形の接続部１２を有し、後端側に設けられたバレル１３をかしめることで圧着されている。
雌端子１１は、キャビティ２２内に後方（図２の左方）から挿入され、キャビティ２２内に設けられたランス（図示せず）により抜け止め状態に一次係止され、さらにリテーナ２３（図３参照）により二重係止されるようになっている。
【００１５】
上記のリテーナ２３には、雄端子１５のタブ１６が挿入される端子挿入口２４が、各キャビティ２２ごとに対応して開口されている。
端子収容部２１の上面には左右一対の保護壁２５が立てられ、両保護壁２５の間に、後記するように相手の雄ハウジング３０との間を正規の嵌合状態にロックするためのロックアーム２６が形成されている。このロックアーム２６は、前縁から後方に向けて片持ち状に延出されて撓み変形可能となっており、その延出端寄りの位置にロック孔２７が開口されている。
【００１６】
次に、雄ハウジング３０について説明する。雄ハウジング３０も同じく合成樹脂製であって、図１及び図２に示すように、端子収容部３１の前面にフード部３２が形成された形状となっている。フード部３２は上面の背を高くして形成され、上記した雌ハウジング２０が、保護壁２５、ロックアーム２６等を含めて前方からほぼ緊密に嵌合可能とされている。また、フード部３２の上面は、端子収容部３１の上面との間に間隙を設けた状態で端子収容部３１の後端まで延出されている。
【００１７】
端子収容部３１内には、電線１０の端末に圧着された雄端子１５が挿入されるキャビティ３３が、同じく図示４個横方向に並んで形成されている。雄端子１５は、図４に示すように、本体部１５Ａの先端にタブ１６を突出形成した形状であって、後端側に設けられたバレル１３をかしめることで圧着されている。
雄端子１５がキャビティ３３内に後方（図４の右側）から挿入されると、本体部１５Ａの側面に突設された突当部１７が、キャビティ３３の側壁に設けられたストッパ凹部３４に当たったところで前止まりされ、併せてキャビティ３３の天井壁の前縁に設けられたランス３５が、本体部１５Ａの上面に設けられた前側係止突部１８Ａに係止することで、この前側係止突部１８Ａが設けられた部分からその先のタブ１６を、フード部３２内に突出させた状態で抜け止め状に一次係止される。さらに、リテーナ３７が後側係止突部１８Ｂに係止することで二重係止されるようになっている。
【００１８】
フード部３２の天井面の前縁側には、上記した雌ハウジング２０に設けられたロックアーム２６のロック孔２７に嵌合可能なロック突部３８が下向きに形成されている。
また、フード部３２における正面から見た左側壁の内面の上端位置には、図１に示すように、逆挿入防止用のリブ３９が立てられている。これに対応して、雌ハウジング２０における正面から見た右側の側壁の外面には、図３に示すように、上記のリブ３９を逃がす逃がし溝２８が形成されている。
【００１９】
端子収容部３１の前面には、キャビティ３３の前壁を兼ねたムービングプレート４０が装着されるようになっている。
このムービングプレート４０は、同じく合成樹脂製であって、図４ないし図７に示す形状に形成されている。詳細には、図７に示すように、雄ハウジング３０におけるフード部３２の断面のうち、逆挿入防止用のリブ３９が立てられた位置よりも下の領域に嵌まる正面ほぼ方形状で、厚肉の板状に形成されている。
【００２０】
ムービングプレート４０には、雄ハウジング３０のキャビティ３３ごとに対応して、雄端子１５のタブ１６を貫通可能な貫通孔４１が形成されている。この貫通孔４１は、図４及び図７に示すように、表面上ではタブ１６にほぼ緊密に嵌合する大きさであるが、裏側に向けて次第に拡がって、後記するように、ムービングプレート４０が端子収容部３１の前面に正規に装着された場合には、雄端子１５におけるタブ１６の付け根から前側係止突部１８Ａを設けた位置までを嵌めることができる形状とされている。
また、各貫通孔４１の正面から見た左上の位置には、一次係止を解除すべくランス３５を強制的に撓み変形させる治具を挿入するための治具挿入口４２が形成されている。
【００２１】
ムービングプレート４０の裏面の左右両側縁には、一対の突壁４３Ａ，４３Ｂが形成されている。図５及び図６にも示すように、一方の突壁４３Ａは、全高にわたって大きく突出している反面、他方の突壁４３Ｂは、下端の一部を除いて突出長さが小さくなっている。
これに対し、フード部３２の奥面の左右両側縁には、図１に示すように、上記した左右の突壁４３Ａ，４３Ｂが進入可能な縦溝５０Ａ，５０Ｂが切られている。両縦溝５０Ａ，５０Ｂは、上記の各突壁４３Ａ，４３Ｂの突出長さに対応した深さを持っている。
【００２２】
さて、上記したムービングプレート４０の左右両側面には、それぞれ上縁と下縁とに前後方向に延びたガイドリブ４５，４６が形成されている。各ガイドリブ４５，４６は、表面側（図５の左側）から突壁４３Ａ，４３Ｂの突出端まで形成されている。ここで、図１に示すように、上側の左右２本のガイドリブ４５は、断面形状がほぼ正方形をなしているのに対して、下側の左右２本のガイドリブ４６は、上側と比べてやや縦長で、かつ上面が外側に向けて上り勾配となった鈎形断面となっている。
【００２３】
一方、フード部３２におけるムービングプレート４０の挿入領域における左右の内側壁には、それぞれ上下２位置に、上記した各ガイドリブ４５，４６を摺動可能に嵌合する前後方向を向いたガイド溝５１，５２が、開口縁から奥面の縦溝５０Ａ，５０Ｂにわたって切られている。各ガイド溝５１，５２の断面形状は、ガイドリブ４５，４６と対応して、上側の２本のガイド溝５１がほぼ正方形断面（厳密には下面が外側に向けて緩い下り勾配となっている）で、下側の２本のガイド溝５２が鈎形断面となっている。
【００２４】
ムービングプレート４０の裏面の上縁からは、係止片４７が突設されている。この係止片４７は、片持ち状で撓み変形可能となっており、ムービングプレート４０がフード部３２内を奥側に移動することに伴い、端子収容部３１の上面を摺接して進入可能となっている。係止片４７には、突出端寄りの位置で行き止まりとなった係止溝４８が形成されている。
一方、雄ハウジング３０における端子収容部３１の上面には、その前縁側に仮係止突起５４が、またその所定寸法後方位置に本係止突起５５が、それぞれ係止溝４８に嵌合可能に形成されている。
仮係止突起５４は、前面側がテーパ状のガイド面で、後面側が逆テーパ状に切り立った係止面となっている。本係止突起５５は、前面側が同じくテーパ状のガイド面であるが、後面側の係止面も急ではあるが順テーパ状となっていて、セミロック構造となっている。
【００２５】
図２に参照して示すように、係止片４７の先端縁が両係止突起５４，５５に挟まれるようにして、係止溝４８が仮係止突起５４に係止した位置がムービングプレート４０の仮係止位置であって、この仮係止位置では、雄端子１５のタブ１６の先端が貫通孔４１を貫通してその前方に少し突出した状態となる。
一方、図１０に参照して示すように、係止片４７の係止溝４８が本係止突起５５に係止した位置が本係止位置であって、この本係止位置では、ムービングプレート４０が端子収容部３１の前面に当接した状態に保持される。
【００２６】
さらに、雌ハウジング２０における正面から見た左側面の下縁には、図２及び図３に示すように、前後方向を向いた補助リブ６０が、前縁から後縁の少し前方位置にわたって形成されている。この補助リブ６０は、雄ハウジング３０のフード部３２に設けられたガイド溝のうち、正面から見た右下の鈎形断面のガイド溝５２内に摺動可能で、ほぼ方形断面に形成されている。ただし、図８に示すように、後端部の上面が一段高くなってがた詰め部６１が形成され、このがた詰め部６１は、図１１に示すように、ガイド溝５２の上面のうちの低くなった内側の端縁部５２Ａに突き当たる設定となっている。
なお、雌ハウジング２０の下面の後縁側には、雌ハウジング２０がフード部３２内に所定量嵌合された場合に、フード部３２の下面の端縁に突き当たるストッパ部６３が形成されている。
【００２７】
続いて、本実施形態の作用を説明する。
雌ハウジング２０側では、雌端子１１が対応するキャビティ１２内に挿入され、リテーナ２３により二重係止されて収容される。
一方の雄ハウジング３０側では、ムービングプレート４０が、両側面のガイドリブ４５，４６をフード部３２の左右の内側面のガイド溝５１，５２に合わせて、図４の矢線に示すようにフード部３２内に挿入される。この場合、ムービングプレート４０が例えば上下反転した姿勢で挿入されるおそれがあるが、このときは上側に回った鈎形断面のガイドリブ４６の特に尖った先の部分が、正方形断面のガイド溝５１の口縁に当たることで挿入が規制され、逆挿入が検知される。
【００２８】
ムービングプレート４０が正規姿勢でフード部３２内に挿入されると、図７に示すように、ガイドリブ４５，４６が対応するガイド溝５１，５２を摺動して案内されつつ、フード部３２の奥側に向けて押し込まれる。このとき、ムービングプレート４０の４つの角でガイドリブ４５，４６とガイド溝５１，５２とが嵌合されており、しかも下側の２箇所では鈎形断面同士の嵌合となっているから、ムービングプレート４０は、軸線回りのがたつきや、あるいは波打つようながたつきを有効に抑えられつつ、真直に奥側に押し込まれる。
【００２９】
ムービングプレート４０が所定量押し込まれると、係止片４７の先端が仮係止突起５４に当たり、撓み変形してこれを乗り越えつつ押し込まれる。同様にガイドリブ４５，４６とガイド溝５１，５２との嵌合により、ムービングプレート４０が傾くことはない。さらに押し込まれると、係止片４７の先端が仮係止突起５４を通過し、係止片４７が復元変形して仮係止突起５４が係止溝４８に係止されることにより、ムービングプレート４０は仮係止位置に保持される（図２参照）。
この状態から、雄端子１５が対応するキャビティ３３内に挿入され、ランス３５により一次係止される。このとき、図２の鎖線に示すように、雄端子１５のタブ１６の先端が、仮係止位置にあるムービングプレート４０の貫通孔４１を貫通して、その前面に少し突出した状態となる。
なお、これと併せて、リテーナ３７により雄端子１５が二重係止される。
【００３０】
雌雄のハウジング２０，３０が上記のように組み付けられたら、両ハウジング２０，３０が図２に示すように対向され、雌ハウジング２０が同図の矢線に示すようにフード部３２内に挿入される。このとき仮に、雌ハウジング２０が上下反転した不正姿勢であると、雌ハウジング２０の前面の逃がし溝２８以外の部分が逆挿入防止用のリブ３９と対応してこれに当たり、それ以上の押し込みが規制され、すなわち雌ハウジング２０が不正姿勢で挿入されることが防止される。
【００３１】
雌ハウジング２０が正規姿勢であれば、逆挿入防止用のリブ３９が逃がし溝２８に進入し、また、雌ハウジング２０に設けられた補助リブ６０が、フード部３２側の対応する鈎形断面のガイド溝５２に進入しつつ、雌ハウジング２０がフード部３２内に嵌合される。
雌ハウジング２０が所定量押し込まれたら、図９に示すように、ムービングプレート４０の表面に一旦当たる。この間に、タブ１６の先端が雌ハウジング２０に装着されたリテーナ２３の端子挿入口２４を通してキャビティ２２内に突入するが、タブ１６の先端はムービングプレート４０の対応する貫通孔４１を貫通することで、真直姿勢で整列されているから、相手の端子挿入口２４にも正確に突入する。
【００３２】
さらに、雌ハウジング２０を押し込むと、ムービングプレート４０も押されて一緒に奥側に移動する。これに伴い、係止片４７が今度は本係止突起５５を撓み変形して乗り越えつつ押し込まれるが、同様にガイドリブ４５，４６とガイド溝５１，５２との嵌合によって案内され、ムービングプレート４０は傾いたりしない正規姿勢を保って移動する。この間、正規姿勢を保って移動するムービングプレート４０の貫通孔４１に対して、雄端子１５のタブ１６が相対的に進出するのであるから、タブ１６も真直姿勢を維持したままキャビティ２２内にさらに深く入り、相手の雌端子１１の接続部１２と次第に嵌合される。
またこの間、ロックアーム２６も撓み変形しつつ押し込まれる。
【００３３】
雌ハウジング２０の嵌合の終盤に近付くと、図１１に示すように、雌ハウジング２０の補助リブ６０の後端部に設けられたがた詰め部６１が、鈎形断面のガイド溝５２の上面における低くなった内側の端縁部５２Ａに当たり、さらに押し込むと、この端縁部５２Ａを所定領域潰しつつ圧入される。
ムービングプレート４０が端子収容部３１の前面に当たるまで押し込まれると、図１０に示すように、係止片４７の先端が本係止突起５５を通過し、係止片４７が復元変形して本係止突起５５が係止溝４８に係止されることで、ムービングプレート４０は本係止位置に保持される。
【００３４】
この間、ムービングプレート４０の前面に雄端子１５のタブ１６が所定量真直姿勢で突出し、相手の雌端子１１の接続部１２と正規に接続される。また、ムービングプレート４０がキャビティ３３の前壁を構成し、貫通孔４１内に雄端子１５におけるタブ１６の付け根から前側係止突部１８Ａを設けた部分までが嵌まって支持される。
併せて、ストッパ部６３がフード部３２の下面の突出端に当たることでそれ以上の押し込みが規制され、すなわち正規嵌合され、このときロック突部３８がロックアーム２６のロック孔２７の位置に達することで、ロックアーム２６が復元変形しつつロック突部３８がロック孔２７に嵌まり、雌雄のハウジング２０，３０が正規の嵌合状態にロックされる。
【００３５】
また、図１２に示すように、雌ハウジング２０の補助リブ６０に設けられたがた詰め部６１が、対応するガイド溝５２に圧入されていることで、雌雄のハウジング２０，３０間が、軸線方向並びにそれと直交する方向にがた詰めされ、雌雄の端子金具１１，１５間で微摺動摩耗が生じること等が防止される。
なお、本実施形態のムービングプレート４０は、既述したとおりに、雄ハウジング３０のフード部３２の断面のうちの、上部側を欠落させたような形状であるから、例えば、図１３に示すように、フード部３２における正面から見た右側壁の内面の上端位置に、逆挿入防止用のリブ３９が立てられた形式の雄ハウジング３０Ａについても、共通して使用することができる。
【００３６】
以上説明したように本実施形態によれば、ムービングプレート４０とフード部３２との間に、ガイドリブ４５，４６とガイド溝５１，５２とからなる前後方向のガイド手段を設けたから、ムービングプレート４０を仮係止位置まで挿入する際、また雌ハウジング２０で押されて本係止位置まで移動する際に、がたつきを生じることなくスムーズに移動させることができる。ムービングプレート４０の装着作業が簡単となり、また、雄端子１５のタブ１６の整列状態を確保しつつ両ハウジング２０，３０を嵌合させるといったムービングプレート４０の機能も確実に果たすことができる。
【００３７】
下側の左右のガイドリブ４６とガイド溝５２の組では鈎形断面としたから、ムービングプレート４０は、軸線回りのがたつきや、あるいは波打つようながたつきを有効に抑えられつつ、真直に奥側に押し込まれる。
また、ムービングプレート４０が上下反転した姿勢で挿入された場合は、鈎形断面のガイドリブ４６が正方形断面のガイド溝５１の口縁に当たることで挿入が規制され、逆挿入が検知される。
【００３８】
さらに、両ハウジング２０，３０の嵌合動作の終盤になると、雌ハウジング２０の補助リブ６０に設けられたがた詰め部６１が相手のガイド溝５２の端縁部５２Ａを潰しつつ圧入され、両ハウジング２０，３０間ががた詰めされて、雌雄の端子金具１１，１５間の微摺動摩耗等が防止される。がた詰め部６１が圧入されるのは嵌合動作の終盤だけであるから、両ハウジング２０，３０の嵌合力を極力小さく抑えたままで、がた詰め機能を果たすことができる。
【００３９】
＜他の実施形態＞
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態とは逆に、ムービングプレート側にガイド溝を、フード部の内周側にガイドリブを設けるようにしてもよい。
（２）上記の場合がた詰め手段としては、雌ハウジングに、フード部の一のガイドリブと嵌合する溝を設け、その溝の挿入方向の終端側において肉盛りする等により、相手のガイドリブが圧入されるがた詰め部を設ければよい。
【００４０】
（３）上記実施形態では、フロント部材として、キャビティの前壁を兼ねたムービングプレートを例示したが、その他、端子金具の前止まりの機能を果たす前止まり部材、前面から挿入されて端子金具を二重係止する機能を果たすフロントリテーナ等、要は、コネクタハウジングのフード部内の奥側において、端子収容部の前面に別体のフロント部材を装着する形式のコネクタ全般に広く適用することができる。
【図面の簡単な説明】
【図１】本発明の一実施形態に係る雄ハウジングとムービングプレートの正面図及び雌ハウジングの背面図
【図２】雌雄のハウジングの嵌合前の状態の縦断面図
【図３】雌ハウジングの正面図
【図４】ムービングプレートの組付動作を示す縦断面図
【図５】ムービングプレートの側面図
【図６】その平面図
【図７】ムービングプレートが仮係止位置に装着された状態の正面図
【図８】雌ハウジングの補助リブの形状を示す部分斜視図
【図９】雌雄のハウジングの嵌合途中を示す縦断面図
【図１０】嵌合完了時を示す縦断面図
【図１１】その正面図
【図１２】図１０のＸ線で破断した拡大断面図
【図１３】逆挿入防止用のリブが異なった位置に設けられた雄ハウジングの正面図
【図１４】従来例の正面図
【符号の説明】
１５…雄端子
１６…タブ
２０…雌ハウジング（相手のコネクタハウジング）
３０，３０Ａ…雄ハウジング（コネクタハウジング）
３１…端子収容部
３２…フード部
３３…キャビティ
３９…（逆挿入防止用の）リブ
４０…ムービングプレート（フロント部材）
４１…貫通孔
４５，４６…ガイドリブ
４７…係止片
５１，５２…ガイド溝
５４…仮係止突起
５５…本係止突起
６０…補助リブ
６１…がた詰め部
【図１】
2004178973.tif 000003
【図２】
2004178973.tif 000004
【図３】
2004178973.tif 000005
【図４】
2004178973.tif 000006
【図５】
2004178973.tif 000007
【図６】
2004178973.tif 000008
【図７】
2004178973.tif 000009
【図８】
2004178973.tif 000010
【図９】
2004178973.tif 000011
【図１０】
2004178973.tif 000012
【図１１】
2004178973.tif 000013
【図１２】
2004178973.tif 000014
【図１３】
2004178973.tif 000015
【図１４】
2004178973.tif 000016